(57)【特許請求の範囲】
【請求項１】
スポーツシューズの靴底に着脱自在に取り付けられる滑り止め用スタッドであって、
回転対称性を有するとともにその回転中心軸に取付用の係合凸部が設けられる多角柱状のベース部と、
前記ベース部の多角形状の底面の一辺から当該底面に対して斜め下方に櫛歯状に突出するとともに上下方向に弾性変形可能な複数の突出片からなる第１の突起部と、
を備えた滑り止め用スタッド。
【請求項２】
請求項１において、
前記ベース部の底面が、正多角形状を有している、
ことを特徴とする滑り止め用スタッド。
【請求項３】
請求項１において、
前記ベース部の前記底面の前記正多角形状を構成する辺が、曲線から形成されている、
ことを特徴とする滑り止め用スタッド。
【請求項４】
請求項１において、
前記ベース部の多角形状の前記底面の他の辺から当該底面に対して斜め下方に突出するとともに上下方向に弾性変形可能な第２の突起部をさらに備えた、
ことを特徴とする滑り止め用スタッド。
【請求項５】
請求項１において、
前記係合凸部が雄ネジ部である、
ことを特徴とする滑り止め用スタッド。
【請求項６】
着脱自在な滑り止め用スタッドを有するスポーツシューズにおいて、
前記滑り止め用スタッドが、回転対称性を有するとともにその回転中心軸に取付用の係合凸部が設けられる多角柱状のベース部と、前記ベース部の多角形状の底面の一辺から当該底面に対して斜め下方に櫛歯状に突出するとともに上下方向に弾性変形可能な複数の突出片からなる突起部とから構成されており、
前記シューズの靴底には、前記滑り止め用スタッドの前記ベース部が着脱自在に嵌合する多角柱状の凹部と、該凹部内において前記滑り止め用スタッドの前記係合凸部が係止する係合凹部とが形成されている、
ことを特徴とするスポーツシューズ。
【請求項７】
請求項６において、
前記係合凸部が雄ネジ部であって、前記係合凹部が雌ネジ部である、
ことを特徴とするスポーツシューズ。
【請求項８】
請求項６において、
前記シューズの前記靴底には、前記滑り止め用スタッドの嵌合のための目印がマーキングされている、
ことを特徴とするスポーツシューズ。
【発明の詳細な説明】
【０００１】
【発明の属する技術分野】
本発明は、ゴルフ、野球等、右足と左足が異なる動作を行うスポーツの際に用いるスポーツシューズのスタッド体および靴底に関するものである。
【０００２】
【従来の技術】
ゴルフ、野球等、右足と左足が異なる動作を行うスポーツの際に用いるスポーツシューズの靴底構造について、例えば、特開２００１―２９９４０６号公報に示すようなものが提案されている。この靴底は、左足の靴底が爪先方向に突出部として筋山を有し、また、右足の靴底が踵方向に突出部として筋山を有しており、右利きのゴルファーの使用に適した構造となっている。
【０００３】
特開２００１―２９９４０６号公報
【０００４】
また、特開２００２-４５２０３号公報に示すものでは、右利きのゴルファーが使用した場合でも左利きのゴルファーが使用した場合でも、スリップが抑制される靴底が示されている。この靴底は、爪先側防滑壁と踵側防滑壁とを有しており、例えば右利きのゴルファーが左足用に用いた場合にも、右足用に用いた場合にも、それらが適切なスリップ防止機能を有するように配置されている。
【０００５】
特開２００２-４５２０３号公報
【０００６】
また、野球シューズにおいては、特開平９−１７３１０４号公報に示すように、野球競技におけるバッティング、スローイング、ランニングなどのあらゆる動作中に靴底に作用するせん断応力とその方向を解析し、スパイクシューズの突片が設けられている。
【０００７】
特開平９−１７３１０４号公報
【０００８】
【発明が解決しようとする課題】
しかしながら、特開２００１―２９９４０６号公報に示す方法では、例えば右利きの使用者が使用した場合の左足と右足の動きにそれぞれ対応できるものの、右利きのゴルファー用のシューズと左利きのゴルファー用のシューズがそれぞれ必要であり、生産効率が良いとは言えず、その結果コストアップにつながるものであった。
【０００９】
また、特開２００２-４５２０３号公報に示すものでは、右利きのゴルファーの使用にも左利きのゴルファーの使用にも対応できるものの、両足に使用できる様になっているため、最低限必要以外の突起も配置されており、その結果重量が増加し、また各足のスリップ防止機能も減少してしまう、という問題点があった。
【００１０】
また、特開平９−１７３１０４号公報に示すような野球シューズにおいては、走行等の動作のみを重視する場合は、左右対称形状に突片を配置すればよいことが分かっており、その方向は図１５に示すとおりである。しかし、投手の投球動作に着目した場合、軸足の母趾球部分に関してのみ、他の動作とは大きく異なったせん断力が加わることが分かっている。
【００１１】
すなわち、投手の投球動作においては、マウンド上に硬質板で形成される投手板が投球方向と垂直に埋め込まれており、投手は投球動作において軸足すなわち右投手であれば右足を投手板の長手方向と靴底の長手方向を平行にし、投手板の投球方向側のエッジに、母趾球部の突片を引っ掛けるようにして、外甲側に蹴る動作をする。よって、軸足の母趾球部の突片は、投手板の長手方向、すなわち靴底の長手方向と平行になるように配置しなければ、より安定してグリップ力を発揮することが出来ない。
【００１２】
よって、特開平９−１７３１０４号公報に示すものは、右足と左足の両方に使用できるよう考慮されているものの、投球時の軸足と言う点ではそれぞれの動作に最適なものではなかった。
【００１３】
本発明は、このような従来の実情に鑑みてなされたもので、スポーツシューズにおいて、右利きの使用者でも左利きの使用者でも使用でき、かつ、必要最小限の重量で、適切なスリップ防止機能を有するようにすることを目的とする。
【００１４】
【課題を解決するための手段】
請求項１の発明に係る滑り止め用スタッドは、スポーツシューズの靴底に着脱自在に取り付けられるものであって、回転対称性を有するとともにその回転中心軸に取付用の係合凸部が設けられる多角柱状のベース部と、ベース部の多角形状の底面の一辺から当該底面に対して斜め下方に櫛歯状に突出するとともに上下方向に弾性変形可能な複数の突出片からなる第１の突起部とを備えている。
【００１５】
請求項２の発明では、請求項１において、ベース部の底面が正多角形状を有している。
【００１６】
請求項３の発明では、請求項１において、ベース部の底面の多角形状を構成する辺が曲線から形成されている。
【００１７】
請求項４の発明では、請求項１において、ベース部の多角形状の底面の他の辺から当該底面に対して斜め下方に突出するとともに上下方向に弾性変形可能な第２の突起部をさらに備えている。
【００１８】
請求項５の発明では、請求項１において、係合凸部が雄ネジ部である。
【００１９】
請求項６の発明は、着脱自在な滑り止め用スタッドを有するスポーツシューズにおいて、滑り止め用スタッドが、回転対称性を有するとともにその回転中心軸に取付用の係合凸部が設けられる多角柱状のベース部と、ベース部の多角形状の底面の一辺から当該底面に対して斜め下方に櫛歯状に突出するとともに上下方向に弾性変形可能な複数の突出片からなる突起部とから構成されており、シューズの靴底には、滑り止め用スタッドのベース部が着脱自在に嵌合する多角柱状の凹部と、該凹部内において滑り止め用スタッドの係合凸部が係止する係合凹部とが形成されている。
【００２０】
請求項７の発明では、請求項６において、係合凸部が雄ネジ部であって、係合凹部が雌ネジ部である。
【００２１】
請求項８の発明では、請求項６において、シューズの靴底には、滑り止め用スタッドの嵌合のための目印がマーキングされている。
【００２２】
【発明の実施の形態】
以下、本発明の実施態様を添付図面に基づいて説明する。
図１は、本発明の一実施態様によるスタッド体１の全体斜視図である。図１に示す様に、スタッド体１は、ベース部２１と滑り止め突起部２２と取り付け部３とを備えている。また、図２は同じくスタッド体１を靴底４に取り付けた場合の平面図である。また、図３は本発明の一実施態様による靴底４の全体平面図である。図３に示すように、靴底４には凹部４２が設けられており、また、左足には右足の凹部４２の位置と形状が鏡像となるように反転した形状に、凹部４２が設けられている。
【００２３】
図４は、右利きのゴルファーのスウィング動作において、インパクト時に足裏すなわち靴底４から地面に加えられる足圧分布図に、せん断応力の作用方向を書き加えたものを、足裏方向から見たものである。
【００２４】
図４より、左足には、略爪先方向へのせん断応力が靴底４から地面に加えられていることが分かる。従って、左足には略爪先方向に対応する滑り止めを設けることにより、せん断応力に対するグリップ力を有効に発揮することが出来る。
【００２５】
また、同じく図４より、右足には、外甲側後方へのせん断応力が靴底４から地面に加えられていることが分かる。従って、右足には外甲側後方方向に対応する滑り止めを設けることにより、せん断応力に対するグリップ力を有効に発揮することが出来る。
【００２６】
具体的には、前足部においては、靴底４の長手方向に対して外甲側後方を正方向とすると、左足に加わるせん断応力の方向は−１６度から４４度の範囲内にあり、右足に加わるせん断応力の方向は１０４度から１６４度の範囲内にある。よって、左足に加わるせん断応力と右足に加わるせん断応力は、約１２０度の角度をなしていることが分かる。従って、右足に加わるせん断応力には、左足に設けられた滑り止めを１２０度外甲側後方に回転させることによって、対応出来ることが分かる。
【００２７】
すなわち、図７に示すように、左足の靴底４と右足の靴底４のそれぞれ対応する位置にある被取り付け部４１に、左足は略爪先方向に、右足は外甲側後方に１２０度回転させた方向に、滑り止めであるスタッド体１を回転させて取り付けることによって、それぞれの足に加わるせん断応力に対するグリップ力を有効に発揮出来ることが分かる。
【００２８】
よって、スタッド体１のベース部２１の外周形状は回転対称形状とする。回転対称形状とは、一つの図形を一定軸の周りに一定の角度だけ回転するごとに最初の位置の図形と同一になる性質をもつ形状であり、具体的には、図５に示す様に正三角形、正四角形、正五角形、正六角形、星形、およびこれらの形状に同じく回転対称となるように切込みや凸部を設けた形状や、円に回転対称となるように切り込みや凸部を設けた形状である。
【００２９】
また、回転対称形状としては、図６に示す様に、正三角形、正四角形、正五角形、正六角形、星形、およびこれらの形状に同じく回転対称となるように切込みや凸部を設けた形状の各頂点を同一の円弧で結んだ形状としても良い。各頂点を同一の円弧で結んだ形状にすることによって、各頂点部分の隣り合う辺同士がなす角度が大きくなり、頂点部分の破損等を防ぐ事が出来る。また、各頂点の折れ・破損を防ぐ為に、頂点の先端を円弧で丸めた形状としても良い。
【００３０】
回転対称形状の回転対称角度は、例えば、ゴルフシューズの様に左足と右足に加わるせん断応力の方向が１２０度異なる種目においては、１２０度とすればよい。
【００３１】
図７は、本発明の一実施態様によるスタッド体１を靴底４に取り付けた場合の全体平面図であるが、回転対称角度を１２０度とした場合、図７に示すように、左足の前足部の被取り付け部４１と対応する位置にある右足の前足部の被取り付け部４１に、スタッド体１を１頂点分回転させて取り付けることにより、１種類の靴底及びスタッド体で、左足および右足の両方の動きに対応させることが出来る。
【００３２】
他の種目においても同様に、左足と右足に加わるせん断応力の方向がなす角度において回転対称形状となるように、スタッド体１のベース部２１の外周形状を形成すればよい。具体的には、図５に示すように、左足と右足に加わるせん断応力の方向が９０度異なる種目の場合は、ベース部２１の外周形状を９０度回転対称となる形状、すなわち、四角形や、また図示はしないが、四角形の各辺に切り欠きや凸形状を設けた形状等とすれば良い。
【００３３】
また、左足と右足に加わるせん断応力の方向が７０度程度異なる種目の場合は、ベース部２１の外周形状を７２度回転対称となる形状、すなわち、五角形や星形等、また図示はしないが、五角形や星形の各辺に切り欠きや凸形状を設けた形状等とすれば良い。
【００３４】
また、ベース部２１の外周形状を六角形または六角形の各辺に切り欠きや凸形状を設けた形状、すなわち６０度回転対称形状とすることで、左足と右足に加わるせん断応力の方向が６０度程度異なる種目はもとより、ゴルフシューズの様に左足と右足に加わるせん断応力の方向が１２０度異なる種目においても、個人のフォームや好みに応じて、滑り止め方向を６０度ずつ回転させる事が出来、よりきめ細かい対応が出来るようになる。
【００３５】
図１３に示すように、左利きの使用者が使用する場合は、右利きの使用者が使用する際に取り付けた方向と鏡像になる方向にスタッド体１を取り付けることによって、対応する事が出来る。すなわち、例えば、ゴルフシューズにおいては、右足は略爪先方向に、左足は外甲側後方方向に対抗する方向に、スタッド体１を回転させて取り付けるとよい。
【００３６】
このように、右利きの使用者が使う場合と左利きの使用者が使う場合とで、取り付ける方向を変えることによって、１種類の靴底及びスタッド体で、右利きの使用者および左利きの使用者の両方に対応させることが出来る。
【００３７】
図１に示すように、滑り止めの手段としては、スタッド体１のベース部２１上の接地面側に滑り止め突起部２２を設けると良い。滑り止め突起部２２は、少なくとも一つの突起側面２４の仰角２６がベース部２１の延長面２５に対して鋭角に傾斜している形状を有するようにするとよい。
【００３８】
図８は図２のI―I線断面図である。図８に示す様に、滑り止め突起部２２を、少なくとも一つの突起側面２４の仰角２６がベース部２１の延長面２５に対して鋭角に傾斜している形状である傾斜滑り止め突起部２２ｂとする事で、滑り止め機能をより効果的に発揮させることが出来る。
【００３９】
ここで、傾斜滑り止め突起部２２ｂの仰角２６とは、傾斜滑り止め突起部２２ｂの突起側面２４とベース部２１の延長面２５とがなす角度のことである。また、傾斜方向２７とは、傾斜滑り止め突起部２２ｂをベース部２１の延長面２５に平行な方向とベース部２１の延長面２５の鉛直方向に分解した場合に、ベース部２１の延長面２５と平行な方向である。
【００４０】
図９はスタッド体１の傾斜滑り止め突起部２２ｂの突起側面２４の傾斜方向２７と同じ方向に、靴底４からせん断応力が加えられた状態を示す図である。同じく、図１０はスタッド体１の傾斜滑り止め突起部２２ｂの突起側面２４の傾斜方向２７とは反対方向に、靴底４からせん断応力が加えられた状態を示す図である。
【００４１】
図９に示す様に、傾斜滑り止め突起部２２ｂの突起側面２４の傾斜方向２７と同方向に靴底４からせん断応力が加えられた場合は、傾斜滑り止め突起部２２ｂが地面と対抗しようとして立ち上がり、せん断応力に対するグリップ力を有効に発揮することが出来る。
【００４２】
同じく、図１０に示す様に、傾斜滑り止め突起部２２ｂの突起側面２４の傾斜方向２７とは反対方向に靴底４からせん断応力が加えられた場合は、傾斜滑り止め突起部２２ｂが地面上をすべるように移動するので、不要に地面に抵抗することを防止できる。
【００４３】
また、ベース部２１の外周の一辺上に、傾斜方向２７が同じである前記傾斜滑り止め突起部２２ｂを二つ以上設けることによって、傾斜方向へのグリップ力をより効果的に発揮する事が出来る。
【００４４】
また、全ての傾斜滑り止め突起部２２ｂを、同じ向きに平行に傾斜させて設けることによって、傾斜方向へのグリップ力をさらに効果的に発揮する事が出来る。
【００４５】
また、図２に示すように、ベース部２１の外周形状が正多角形状もしくは正多角形状の各頂点を同一の円弧でつないだ形状の場合、辺の両端に位置する頂点を結んだ線分に対して垂直な方向に二つ以上の傾斜滑り止め突起部２２ｂを設けることによって、傾斜方向２７への一辺の投影長さがもっとも長くなるので、一つの辺上により多くの傾斜滑り止め突起部２２ｂを設けることが出来、よりグリップ力を高めることが出来る。
【００４６】
また、図１に示すように、滑り止め突起部の接地面に小突起を設けても良い。滑り止め突起部の接地面に小突起２９を設けることによって、よりグリップ力を高めることが出来る。
【００４７】
スタッド体１の靴底４への脱着方法としては、図８に示す様に、靴底４上にスタッド体１の取り付け手段３１に対応する被取り付け部４１を設けるとよい。
【００４８】
なお、スタッド１を回転して取り付けるために、取り付け手段３１はスタッド１の外周形状の回転対称形状の中心となる位置に設ける。
【００４９】
スタッド体１の取り付け手段３１は、スタッド体１の方向を任意に固定できる構造であれば良い。具体的には、図８に示す様に、スタッド体１のベース部２１に設けられた貫通孔２３に、靴底４に設けられた雌ネジ等の被取り付け部４１に係合することのできる雄ネジ等の取り付け手段３１を有した軸部３２を挿入して、取り付け手段３１と被取り付け部４１と係合させると良い。
【００５０】
また、図１１は、取り付け手段として延長取り付け部材３３を設けた場合のスタッド体１および靴底４の斜視図である。
【００５１】
図１１に示す様に、取り付け手段としてスタッド体１にはベース部２１から軸部３２を介して三方向に伸びる延長取り付け部材３３を設け、また靴底４には延長取り付け部材３３の形状に対応する延長取り付け係合部４３を設けることによって、スタッド体１のベース部２１の延長取り付け部材３３の三方向に合致する方向にのみ、スタッド体１を係合させることが出来る。延長取り付け部材３３を延長取り付け係合部４３に係合後、スタッド体１を回転させ、延長取り付け係合部４３から連続して設けられた空間部４４に延長取り付け部材３３をはめ込むことによって、スタッド体１は靴底４に固定される。
【００５２】
この場合、延長取り付け部材３３が３方向、すなわちそれぞれが１２０度の角度を有していることにより、スタッド体１を１２０度回転対称な方向に取り付けることが出来る。
【００５３】
図８に示すように、靴底４の被取り付け部４１周辺には、スタッド体１のベース部２１の外周形状に係合する凹部４２を設ける。スタッド体１を凹部４２内に装着することによって、スタッド体１が不用意に回転することを防止することが出来る。
【００５４】
凹部４２の形状は、対応させる種目の右足と左足に加わるせん断応力の方向とスタッド体１の外周形状によって、決定する。
【００５５】
図４に示す様に、例えばゴルフ動作においては、左足の前足部には略爪先方向、具体的には靴底４の長手方向に対して外甲側後方を正方向とすると、−１６度から４４度の方向へのせん断応力が、靴底４から加えられている。
【００５６】
また、右足には外甲側後方、具体的には、靴底４の長手方向に対して外甲側後方を正方向とすると、１０４度から１６４度の方向へのせん断応力が靴底４から加えられている。
【００５７】
よって、図７に示す様に、前足部においては、滑り止め突起部２２および傾斜滑り止め突起部２２ｂのせん断応力に対抗する方向が略爪先方向、および外甲側後方を向く方向にスタッド体１を取り付けることが出来るように凹部４２を設けると良い。
【００５８】
具体的には、図３に示すように、一つの辺が靴底４の長手方向に対して外甲側後方を正方向とすると、−１６度から４４度に対応する方向とする。この場合、もう一つの辺は、靴底４の長手方向に対して外甲側後方を正方向とすると、１０４度から１６４度に対応する方向となり、これは、右足に加わっているせん断応力と等しくなる。よって、右足に加わるせん断応力にも左足に加わるせん断応力にも対応することが出来る。
【００５９】
同じく、図４に示す様に、踵部分には左足、右足ともに、外甲側後方方向へのせん断応力が加わっていることが分かる。具体的には、左足には靴底４の長手方向に対して外甲側後方を正方向とすると、一様に１１８度、右足には靴底４の長手方向に対して外甲側後方を正方向とすると、１０３度から１３３度の方向へのせん断応力が加わっている。
【００６０】
よって、図３に示す様に、滑り止め突起部２２および傾斜滑り止め突起部２２ｂのせん断応力に対抗する方向が外甲側後方、すなわち靴底４の長手方向に対して外甲側後方に１０３度から１３３度の方向を向く方向にスタッド体１を取り付けることが出来るように、凹部４２を設けると良い。
【００６１】
図１２は、本発明の一実施態様によるスタッド体を靴底に取り付けたゴルフシューズの靴底の全体平面図である。図１２に示す様に、靴底４上の凹部４２の外周縁４６の頂点部分に文字および図形による係合目印４５を設けると良い。
【００６２】
具体的には、ゴルフシューズの場合、左足においては、右利きの使用者にグリップ力を持たせたい方向、すなわち滑り止め突起部２２および傾斜滑り止め突起部２２ｂのせん断応力に対抗する方向が略爪先方向となるようにスタッド体１を取り付けた際に、せん断応力に対抗する方向と対峙する頂点部分に、「右」もしくは「Ｒ」等の係合目印４５を設けると良い。また、係合目印４５は円形等の記号でも良い。
【００６３】
また、左利きの使用者が使用する場合は、右利きの使用者が使用する際に取り付けた方向と鏡像になる方向にスタッド体１を取り付ける必要がある。よって、右利きの使用者に対応して設けた目印４４と左右鏡像になる位置にある頂点付近に、「左」もしくは「Ｌ」等の係合目印４５を設けると良い。また、係合目印４５は×印等、右足に設けた記号との違いが識別出来るような記号でも良い。
【００６４】
係合目印４５を設ける方法は、金型を加工することによって、靴底４を形成する際に同時に凹凸を形成しても良いし、また、靴底４に印刷したりシールを貼ることによって設けても良い。
【実施例】
【００６５】
以下、実施例を用いてさらに具体的に説明する。
〔実施例〕
図１２は本発明の一つの実施例であるゴルフシューズのスタッド体と靴底本体である。
【００６６】
スタッド体１のベース部２１の外周形状は正三角形の各頂点を同一の円弧で結んだ形状とした。これは、図４に示す様に、ゴルフのスウィング動作において、右足に加わるせん断応力の方向と左足に加わるせん断応力の方向が約１２０度の角度をなしていることによるものである。
【００６７】
スタッド体１の全ての滑り止め突起部２２は、図１のように、傾斜滑り止め突起部２２ｂとした。これは、グリップ力を得たい方向には傾斜滑り止め突起部２２ｂが立ち上がる事によりグリップ力が有効に発揮され、またグリップ力を得たい方向と逆の方向には傾斜滑り止め突起部２２ｂが逆方向に倒れこみ不要に地面に抵抗することを防止でき、必要な方向にのみグリップ力を得られるからである。
【００６８】
また、ベース部２１の一辺上に、辺の両端の頂点を結んだ線分に対して垂直な方向に傾斜滑り止め突起部２２ｂを４つ配置した。これは、一つの辺上により多くの傾斜滑り止め突起部２２ｂを設け、かつ、複数の傾斜滑り止め突起部２２ｂを並列して並べることにより、より強い滑り止め効果を得るためである。
【００６９】
スタッド体１の靴底４への取り付け手段として、図８のように、スタッド体１のベース部２１に設けられた貫通孔２３に、取り付け手段３１として雄ネジを有した軸部３２を挿入した。また靴底４には、取り付け手段３１に対応する雌ネジを有した被取り付け部４１を靴底４と一体に形成した。
【００７０】
また、図１２に示すように、靴底４の凸部４２の形状は、スタッド体１のベース部２１の外周形状、すなわち、正三角形の各頂点を同一の円弧で結んだ形状を、外側に０．５ｍｍオフセットした形状とした。
【００７１】
これは、生産においてスタッド体１のベース部２１の外周形状が設計より大きく成型される、あるいは靴底４の凹部４２の外周縁４６が設計より小さく成型される等のばらつきが発生した場合を考慮してのことである。
【００７２】
また、同じく図１２に示すように、靴底４の前足部には、凹部４２の外周縁４６の一つの辺が略爪先方向、もう一つの辺が外甲側後方方向に対応するに、凹部４２を配置した。具体的には、滑り止め突起部２２および傾斜滑り止め突起部２２ｂのせん断応力に対抗する方向が略爪先方向、すなわち、１度から２２度の方向にスタッド体１を取り付けることが出来るように、凹部４２を配置した。
【００７３】
これは、図４に示すように、右利きのゴルファーが使用した場合において、左足の前足部に設けられた被取り付け部４１周辺に加わるせん断応力の方向が、靴底４の長手方向に対して外甲側後方を正方向とすると、１度から２２度の範囲にあるためである。
【００７４】
この場合、もう一つの辺は、靴底４の長手方向に対して外甲側後方を正方向とすると、１２１度から１４２度に対応する方向となり、これは、右利きのゴルファーが使用した場合の、右足の被取り付け部４１周辺に加わる断応力の方向と等しくなる。
【００７５】
また、同じく図１２に示すように、靴底４の踵部には、凹部４２の外周縁４６の一つの辺が外甲側後方方向に対応する方向に、凹部４２を配置した。
【００７６】
具体的には、滑り止め突起部２２および傾斜滑り止め突起部２２ｂのせん断応力に対抗する方向が外甲側後方、すなわち靴底４の長手方向に対して外甲側後方に１０３度から１３３度の方向を向く方向にスタッド体１を取り付けることが出来るように、凹部４２を配置した。
【００７７】
また、同じく図１２に示すように、スタッド体１を取り付けた際に傾斜滑り止め突起部２２ｂの傾斜方向２５と対峙する頂点に“Ｒ”の係合目印４５を設けた。また、靴底４の“Ｒ”と鏡像になる位置に対応する頂点に、”Ｌ”の係合目印４５を設けた。係合目印４５は靴底４を成型する際に用いるインジェクション成型型に彫りこみ、靴底４を成型すると同時に凸形状に形成した。
【００７８】
図１２に示すように、右利きのゴルファーが使用することを想定して、靴底４上の“Ｒ”と表示されている係合目印４５に、スタッド体１の傾斜滑り止め突起部２２ｂの傾斜方向２７に対峙する頂点部分が合致するように、スタッド体１を取り付けた。
【００７９】
なお、左利きのゴルファーが使用する場合には、図１３に示す様に、靴底４上の“Ｌ”と表示されている係合目印４５に、傾斜滑り止め突起部２２ｂの傾斜方向２５と対峙する頂点部分が合致するように、スタッド体１を取り付けると良い。
【００８０】
なお、踵部分は外甲側後方方向へのせん断応力に対応する方向、すなわち、右足・左足ともに、靴底４上の“ＲＬ”と表示されている係合目印４５に、傾斜滑り止め突起部２２ｂの傾斜方向２７に対峙する頂点部分が合致するように、スタッド体１を取り付けた。
踵部分は右足左足ともに外甲側後方方向へのせん断応力が加わるので、図１３に示すように、左利きのゴルファーが使用する場合も同様に取り付けた。
【００８１】
スタッド体１を図１２のように取り付ける事によって、右利きのゴルファーがスウィングする際に靴底４から加えられるせん断応力に対して、過不足無くグリップ力を発揮することが出来る。
【００８２】
また、スタッド体１を図１３のように取り付ける事によって、左利きのゴルファーがスウィングする際に靴底から加えられるせん断応力に対して、過不足無くグリップ力を発揮することが出来る。
【００８３】
〔参考例〕
図１５は本発明の参考例である野球シューズのスタッド体１である。
野球動作においては、右利きの投手と左利きの投手の投球動作、および投球以外の動作における各足に加わるせん断応力の方向は、拇趾球部分を除いてどの動作でも同方向であるが分かっている。
【００８４】
また、拇趾球部分に関しては、投手の軸足のみ、靴の長手方向と平行な方向、すなわち外甲側へのせん断力が加わることが分かっている。また、それ以外の動作では、外甲側後方へのせん断力が加わることも分かっている。
【００８５】
よって、スタッド体１の外周形状は、拇趾球部分の内甲側へのせん断力に対応する方向と外甲側後方へのせん断力に対応する方向がなす角度である、１２０度対称形状である正三角形の各頂点を円弧でつないだ形状とした。
【００８６】
また、図１５に示すように、滑り止め突起部２２として板状の金属ブロック５１を、スタッド体１の一辺上に、ベース部２１に垂直に設けた。
【００８７】
スタッド体１の靴底４への取り付け手段として、スタッド体１のベース部２１に設けられた貫通孔２３に、取り付け手段３１として雄ネジを有した軸部３２を挿入した。また図示はしないが、靴底４には、取り付け手段３１に対応する雌ネジを有した被取り付け部４１を靴底４と一体に形成した。
【００８８】
また、図１６に示すように、靴底４の凹部４２の形状は、スタッド体１のベース部２１の外周形状と同様の形状とした。
【００８９】
また同じく図１６に示すように、靴底４上の拇趾球以外の部分に、投球以外の動作における各足に加わるせん断応力の方向に対抗する方向に滑り止め突起部２２が対応するように、凹部４２を配置した。
【００９０】
また、靴底４上の拇趾球部分には、投手の軸足の場合は外甲側に、それ以外の場合は外甲側後方にせん断応力が加わることより、スタッド体１を取り付けた際に滑り止め突起部２２のせん断応力に対応する方向が、一辺が靴の長手方向に平行な方向、もう一辺が外甲側後方に対応する方向に、凹部４２を配置した。
【００９１】
右足の靴底４の拇趾球部分に設けられた凹部４２の外周縁４６の頂点部分には、右利きの投手が使用する場合、すなわち滑り止め突起部２２が内甲側へのせん断応力に対抗する方向にスタッド体１を取り付けた場合に、滑り止め突起部２２と対峙する頂点付近に“Ｒ”の係合目印４５を設けた。
【００９２】
また、左利きの投手が使用する場合および投手以外の選手が使用する場合、すなわち滑り止め突起部２２が外甲側後方へのせん断応力に対抗する方向にスタッド体１を取り付けた場合に、滑り止め突起部２２と対峙する頂点付近に“Ｏ”、“Ｌ”の係合目印４５を設けた。
【００９３】
また、左足の靴底４の拇趾球部分に設けられた凹部４２の外周縁４６の頂点部分には、左利きの投手が使用する場合、すなわち滑り止め突起部２２が外甲側へのせん断応力に対抗する方向にスタッド体１を取り付けた場合に、滑り止め突起部２２と対峙する頂点付近に“Ｌ”の係合目印４５を設けた。
【００９４】
また、右利きの投手が使用する場合および投手以外の選手が使用する場合、すなわち滑り止め突起部２２が外甲側後方へのせん断応力に対抗する方向にスタッド体１を取り付けた場合に、滑り止め突起部２２と対峙する頂点付近に“Ｏ”、“Ｒ”の係合目印４５を設けた。
【００９５】
係合目印４５は、靴底４を成型する際に用いるインジェクション成型型に彫りこみ、靴底４を成型すると同時に凸形状に形成した。
【００９６】
図１６に示すように、右利きの投手が使用することを想定して、靴底４上の拇趾球部分に設けられた凹部４２の“Ｒ”と表示されている係合目印４５に、スタッド体１の滑り止め突起部２２が対峙する頂点部分が合致するように、スタッド体１を取り付けた。
【００９７】
また、図１７に示すように、左利きの投手が使用する場合は、靴底４上の“Ｌ”と表示されている係合目印４５に、スタッド体１の滑り止め突起部２２が対峙する頂点部分が合致するように、スタッド体１を取り付けると良い。
【００９８】
また、図１８に示すように、投球動作以外で使用する場合は、靴底４上の“Ｏ”と表示されている係合目印４５に、スタッド体１の滑り止め突起部２２が対峙する頂点部分が合致するように、スタッド体１を取り付けると良い。
【００９９】
スタッド体１を図１６のように取り付ける事によって、右利きの投手の投球動作において靴底４から加えられるせん断応力に対して、過不足無くグリップ力を発揮することが出来る。
【０１００】
また、スタッド体１を図１７のように取り付ける事によって、左投手の投球動作において靴底４から加えられるせん断応力に対して、過不足無くグリップ力を発揮することが出来る。
【０１０１】
また、スタッド体１を図１８のように取り付ける事によって、投手の投球動作以外の動作において靴底４から加えられるせん断応力に対して、過不足無くグリップ力を発揮することが出来る。
【０１０２】
【発明の効果】
以上のように本発明によれば、靴底とスタッド体を１種類用意するだけで、右利きの使用者にも左利きの使用者にも対応でき、右足および左足ともに、過不足無くグリップ力を発揮できる靴底を得ることが出来る。
【図面の簡単な説明】
【図１】本発明の一実施態様によるスタッド体１の全体斜視図である。
【図２】スタッド体１を靴底４に取り付けた場合の平面図である。
【図３】本発明の一実施態様による靴底４の平面図である。
【図４】右利きのゴルファーのスウィング動作において、インパクト時に足裏すなわち靴底４から地面に加えられる足圧分布図に、せん断応力の作用方向を書き加えたものである。
【図５】スタッド体１の外周形状の実施例である。
【図６】スタッド体１の外周形状の実施例である。
【図７】本発明の一実施態様によるスタッド体１を靴底４に取り付けた場合の全体平面図である。
【図８】図２のＩ―Ｉ線断面図である。
【図９】スタッド体１の傾斜滑り止め突起部２２ｂの突起側面２４の傾斜方向と同じ方向にせん断応力が加わった状態を示す図である。
【図１０】スタッド体１の傾斜滑り止め突起部２２ｂの突起側面２４の傾斜方向に対抗する方向に靴底４からせん断応力を加えられた状態を示す図である。
【図１１】取り付け手段として延長取り付け部材を設けた場合のスタッド体１および靴底４の斜視図である。
【図１２】本発明の一実施態様によるスタッド体を靴底に取り付けたゴルフシューズの靴底である。
【図１３】本発明の一実施態様によるスタッド体および靴底を採用したゴルフシューズにおいて、左利きの使用者に対応してスタッド体１を取り付けた場合の靴底４の平面図である。
【図１４】本発明の第２の実施態様によるスタッド体の全体斜視図である。
【図１５】従来の野球シューズに用いられている滑り止めの方向を模式的に表したものである。
【図１６】本発明の第２の実施態様によるスタッド体および靴底を採用した野球シューズにおいて、右利きの投手が使用した場合に対応してスタッド体１を取り付けた場合の靴底４の平面図である。
【図１７】本発明の第２の実施態様によるスタッド体および靴底を採用した野球シューズにおいて、左利きの投手が使用した場合に対応してスタッド体１を取り付けた場合の靴底４の平面図である。
【図１８】本発明の第２の実施態様によるスタッド体および靴底を採用した野球シューズにおいて、投球動作以外に使用した場合に対応してスタッド体１を取り付けた場合の靴底４の平面図である。
【符号の説明】
１：スタッド体
２１：ベース部
２２：滑り止め突起部
２２ｂ：傾斜滑り止め突起部
２３：貫通孔
２４：突起側面
２５：ベース部２１の延長面
２６：仰角
２７：傾斜方向
２８：外周形状の中心
２９：小突起
３：取り付け部
３１：取り付け手段
３２：軸部
３３：延長取り付け部材
４、４ａ、４ｂ：靴底
４１：被取り付け部
４２：凹部
４３：延長取り付け係合部
４４：空間部
４５：係合目印
４６：外周縁
５１：金属ブロック
【図１】
0004010991.tif 000002
【図２】
0004010991.tif 000003
【図３】
0004010991.tif 000004
【図４】
0004010991.tif 000005
【図５】
0004010991.tif 000006
【図６】
0004010991.tif 000007
【図７】
0004010991.tif 000008
【図８】
0004010991.tif 000009
【図９】
0004010991.tif 000010
【図１０】
0004010991.tif 000011
【図１１】
0004010991.tif 000012
【図１２】
0004010991.tif 000013
【図１３】
0004010991.tif 000014
【図１４】
0004010991.tif 000015
【図１５】
0004010991.tif 000016
【図１６】
0004010991.tif 000017
【図１７】
0004010991.tif 000018
【図１８】
0004010991.tif 000019